【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
インスタントメッセージアプリケーションにおいてユーザ情報を提供するための方法であって、
開始ユーザによって送信された対象ユーザを探索するという要求を受信することであって、前記要求が、前記開始ユーザによって提供された前記対象ユーザの人物特徴説明情報を保持する、受信することと、
指定された受信ユーザクライアント端末に前記要求を転送することと、
前記要求が着手されたことをサーバに通知することであって、前記通知によって前記サーバが転送情報を記録して送信するようになり、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、通知することと、
前記開始ユーザに連絡先情報を表示するために、前記サーバによって提供された前記対象ノードの前記ユーザの前記連絡先情報を受信することと
を含む、方法。
【請求項２】
指定された受信ユーザに前記要求を転送することが、
友人ユーザのリストから、前記開始ユーザによって、選択されたユーザに前記要求を転送すること
をさらに含む、請求項１に記載の方法。
【請求項３】
指定された受信ユーザに前記要求を転送することが、
前記開始ユーザの友人ユーザのリストの一部のまたはすべてのユーザに前記要求を転送すること
をさらに含む、請求項１に記載の方法。
【請求項４】
指定された受信ユーザに前記要求を転送することが、
前記指定された受信ユーザに匿名で前記要求を転送すること
をさらに含む、請求項１に記載の方法。
【請求項５】
前記開始ユーザにユーザ情報を表示するために、前記サーバから、前記対象ノードが位置する前記転送経路上の中間ノードのユーザ情報を受信すること
をさらに含む、請求項１に記載の方法。
【請求項６】
インスタントメッセージアプリケーションにおいてユーザ情報を提供するための方法であって、
対象ユーザを探索するという要求を受信することであって、前記要求が、開始ユーザによって提供された前記対象ユーザの人物特徴説明情報を保持する、受信することと、
前記対象ユーザの前記人物特徴説明情報をユーザインタフェースに表示して、処理モード選択コンポーネントを提供することと、
現在の受信ユーザによって選択された処理モードに従って前記要求を処理することであって、前記処理によってサーバが転送情報をモニタして記録するようになり、前記転送情報は、
前記要求に基づいて形成された少なくとも１つの転送経路に関連付けられた情報であって、前記少なくとも１つの転送経路の各々は少なくとも２つのノードを含み、前記少なくとも２つのノードの各々は１人のユーザに相当し、隣接ノード上のユーザが予めセットされた関係にあり、前記少なくとも２つのノードの開始ノードは前記開始ユーザに相当する、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、処理することと、
前記処理モードが、前記要求に応答する前記現在の受信ユーザによって選択された後、前記現在の受信ユーザに連絡先情報を表示するために、前記サーバによって提供された前記開始ノードの前記ユーザの前記連絡先情報を受信することと
を含む、方法。
【請求項７】
現在の受信ユーザによって選択された処理モードに従って前記要求を処理することが、
前記処理モードが、前記要求を連続転送する前記現在の受信ユーザによって選択された後、指定された受信ユーザに前記要求を転送すること
を含む、請求項６に記載の方法。
【請求項８】
前記現在の受信ユーザにユーザ情報を表示するために、前記サーバから、前記対象ノードが位置する前記転送経路上の中間ノードのユーザ情報を受信すること
をさらに含む、請求項６に記載の方法。
【請求項９】
インスタントメッセージアプリケーションにおいてユーザ情報を提供するための方法であって、
開始ユーザのクライアント端末によって送信されたイベントのイベント通知メッセージを受信することであって、前記イベントが、前記開始ユーザが対象ユーザを探索するという要求に着手したことであり、前記要求が、前記対象ユーザの人物特徴説明情報を保持する、受信することと、
転送情報をモニタして記録することであって、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、モニタして記録することと、
１つの転送経路上のユーザの処理モードが前記要求に対して応答した後、前記ユーザを前記転送経路の前記対象ノードとして決定することと、
前記開始ノードの前記ユーザおよび前記対象ノードの前記ユーザの情報を互いに提供することと
を含む、方法。
【請求項１０】
前記対象ノードが位置する前記転送経路上の中間ノードのユーザ情報を前記開始ノードの前記ユーザおよび前記対象ノードの前記ユーザに提供すること
をさらに含む、請求項９に記載の方法。
【請求項１１】
前記対象ノードが位置する前記転送経路上の中間ノードのユーザ情報を前記転送経路の前記ノード上のユーザに提供すること
をさらに含む、請求項９に記載の方法。
【請求項１２】
インスタントメッセージアプリケーションにおいてユーザ情報を提供するためのデバイスであって、
開始ユーザによって送信された対象ユーザを探索するという要求を受信するために使用される要求受信ユニットであって、前記要求が、前記開始ユーザによって提供された前記対象ユーザの人物特徴説明情報を保持する、要求受信ユニットと、
指定された受信ユーザクライアント端末に前記要求を転送して、前記要求が着手されたことをサーバに通知するために使用される転送および通知ユニットであって、前記通知によって前記サーバが転送情報を記録して送信するようになり、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、転送および通知ユニットと、
前記開始ユーザに連絡先情報を表示するために、前記サーバによって提供された前記対象ノードの前記ユーザの前記連絡先情報を受信するために使用される受信ユニットと
を含む、デバイス。
【請求項１３】
前記転送および通知ユニットが、
友人ユーザのリストから、前記開始ユーザによって、選択されたユーザに前記要求を転送する
ためにさらに使用される、請求項１２に記載のデバイス。
【請求項１４】
前記転送および通知ユニットが、
前記開始ユーザの友人ユーザのリストの一部のまたはすべてのユーザに前記要求を転送する
ためにさらに使用される、請求項１２に記載のデバイス。
【請求項１５】
前記転送および通知ユニットが、
前記指定された受信ユーザに匿名で前記要求を転送する
ためにさらに使用される、請求項１２に記載のデバイス。
【請求項１６】
前記開始ユーザにユーザ情報を表示するために、前記サーバから、前記対象ノードが位置する前記転送経路上の中間ノードのユーザ情報を受信する
ためにさらに使用される、請求項１２に記載のデバイス。
【請求項１７】
インスタントメッセージアプリケーションにおいてユーザ情報を提供するためのデバイスであって、
対象ユーザを探索するという要求を受信するために使用される要求受信ユニットであって、前記要求が、開始ユーザによって提供された前記対象ユーザの人物特徴説明情報を保持する、要求受信ユニットと、
前記対象ユーザの前記人物特徴説明情報をユーザインタフェースに表示して、処理モード選択コンポーネントを提供するために使用される表示ユニットと、
現在の受信ユーザによって選択された処理モードに従って前記要求を処理するために使用される要求処理ユニットであって、前記処理によってサーバが転送情報を記録して送信するようになり、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、要求処理ユニットと、
前記処理モードが、前記要求に応答する前記現在の受信ユーザによって選択された後、前記現在の受信ユーザに連絡先情報を表示するために、前記サーバによって提供された前記開始ノードの前記ユーザの前記連絡先情報を受信するために使用される受信ユニットと
を含む、デバイス。
【請求項１８】
前記要求処理ユニットが、
前記処理モードが、前記要求を連続転送する前記現在の受信ユーザによって選択された後、指定された受信ユーザに前記要求を転送するために使用される転送サブユニット
を含む、請求項１７に記載のデバイス。
【請求項１９】
前記受信ユニットが、
前記現在の受信ユーザにユーザ情報を表示するために、前記サーバから、前記対象ノードが位置する前記転送経路上の中間ノードのユーザ情報を受信する
ためにさらに使用される、請求項１７に記載のデバイス。
【請求項２０】
インスタントメッセージアプリケーションにおいてユーザ情報を提供するためのデバイスであって、
開始ユーザのクライアントによって送信されたイベントのイベント通知メッセージを受信するために使用される通知受信ユニットであって、前記イベントが、前記開始ユーザが対象ユーザを探索するという要求に着手したことであり、前記要求が、前記対象ユーザの人物特徴説明情報を保持する、通知受信ユニットと、
転送情報を記録して送信するために使用される転送状況モニタリングユニットであって、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、転送状況モニタリングユニットと、
１つの転送経路上のユーザの処理モードが前記要求に対して応答した後、前記ユーザを前記転送経路の前記対象ノードとして決定するために使用される対象ノード決定ユニットと、
前記開始ノードの前記ユーザおよび前記対象ノードの前記ユーザの情報を互いに提供するために使用される第１のユーザ情報提供ユニットと
を含む、デバイス。
【請求項２１】
前記対象ノードが位置する前記転送経路上の中間ノードのユーザ情報を前記開始ノードの前記ユーザおよび前記対象ノードの前記ユーザに提供するために使用される第２のユーザ情報提供ユニット
をさらに含む、請求項２０に記載のデバイス。
【請求項２２】
前記対象ノードが位置する前記転送経路上のそれぞれの中間ノードのユーザ情報を前記転送経路の前記ノード上のユーザに提供するために使用される第３のユーザ情報提供ユニット
をさらに含む、請求項２０に記載のデバイス。
【請求項２３】
命令のセットを格納する非一時的コンピュータ可読媒体であって、前記命令のセットは、インスタントメッセージアプリケーションにおいてユーザ情報を提供するための装置に、インスタントメッセージアプリケーションにおいてユーザ情報を提供するための方法を行わせるように、前記装置の少なくとも一つのプロセッサによって実行可能であり、前記方法は、
開始ユーザによって送信された対象ユーザを探索するという要求を受信することであって、前記要求が、前記開始ユーザによって提供された前記対象ユーザの人物特徴説明情報を保持する、受信することと、
指定された受信ユーザクライアント端末に前記要求を転送することと、
前記要求が着手されたことをサーバに通知することであって、前記通知によって前記サーバが転送情報を記録して送信するようになり、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、通知することと、
前記開始ユーザに連絡先情報を表示するために、前記サーバによって提供された前記対象ノードの前記ユーザの前記連絡先情報を受信することと
を含む、非一時的コンピュータ可読媒体。
【請求項２４】
前記命令のセットは、前記装置にさらに、
友人ユーザのリストから前記開始ユーザによって選択されたユーザに前記要求を転送することによって、
指定された受信ユーザに前記要求を転送することを行わせるように、前記装置の前記少なくとも一つのプロセッサによって実行可能である、請求項２３に記載の非一時的コンピュータ可読媒体。
【請求項２５】
前記命令のセットは、前記装置にさらに、
前記開始ユーザの友人ユーザのリストの一部のまたはすべてのユーザに前記要求を転送することによって、
指定された受信ユーザに前記要求を転送することを行わせるように、前記装置の前記少なくとも一つのプロセッサによって実行可能である、請求項２３に記載の非一時的コンピュータ可読媒体。
【請求項２６】
前記命令のセットは、前記装置にさらに、
前記指定された受信ユーザに匿名で前記要求を転送することによって、
指定された受信ユーザに前記要求を転送することを行わせるように、前記装置の前記少なくとも一つのプロセッサによって実行可能である、請求項２３に記載の非一時的コンピュータ可読媒体。
【請求項２７】
前記命令のセットは、前記装置にさらに、
前記開始ユーザにユーザ情報を表示するために、前記サーバから、前記対象ノードが位置する前記転送経路上の中間ノードのユーザ情報を受信することを行わせるように、前記装置の前記少なくとも一つのプロセッサによって実行可能である、請求項２３に記載の非一時的コンピュータ可読媒体。
【請求項２８】
命令のセットを格納する非一時的コンピュータ可読媒体であって、前記命令のセットは、インスタントメッセージアプリケーションにおいてユーザ情報を提供するための装置に、インスタントメッセージアプリケーションにおいてユーザ情報を提供するための方法を行わせるように、前記装置の少なくとも一つのプロセッサによって実行可能であり、前記方法は、
対象ユーザを探索するという要求を受信することであって、前記要求が、開始ユーザによって提供された前記対象ユーザの人物特徴説明情報を保持する、受信することと、
前記対象ユーザの前記人物特徴説明情報をユーザインタフェースに表示して、処理モード選択コンポーネントを提供することと、
現在の受信ユーザによって選択された処理モードに従って前記要求を処理し、サーバに転送情報を送信することであって、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、送信することと、
前記処理モードが、前記要求に応答する前記現在の受信ユーザによって選択された後、前記現在の受信ユーザに連絡先情報を表示するために、前記サーバによって提供された前記開始ノードの前記ユーザの前記連絡先情報を受信することと
を含む、非一時的コンピュータ可読媒体。
【請求項２９】
前記命令のセットは、前記装置にさらに、
前記現在の受信ユーザによって選択された前記処理モードが前記要求の連続転送となり次第、指定された受信ユーザに前記要求を転送することによって、
現在の受信ユーザによって選択された処理モードに従って前記要求を処理することを行わせるように、前記装置の前記少なくとも一つのプロセッサによって実行可能である、請求項２８に記載の非一時的コンピュータ可読媒体。
【請求項３０】
前記命令のセットは、前記装置にさらに、
前記現在の受信ユーザにユーザ情報を表示するために、前記サーバから、前記対象ノードが位置する前記転送経路上の中間ノードのユーザ情報を受信することを行わせるように、前記装置の前記少なくとも一つのプロセッサによって実行可能である、請求項２８に記載の非一時的コンピュータ可読媒体。
【請求項３１】
命令のセットを格納する非一時的コンピュータ可読媒体であって、前記命令のセットは、インスタントメッセージアプリケーションにおいてユーザ情報を提供するための装置に、インスタントメッセージアプリケーションにおいてユーザ情報を提供するための方法を行わせるように、前記装置の少なくとも一つのプロセッサによって実行可能であり、前記方法は、
開始ユーザのクライアント端末によって送信されたイベントのイベント通知メッセージを受信することであって、前記イベントが、前記開始ユーザが対象ユーザを探索するという要求に着手したことであり、前記要求が、前記対象ユーザの人物特徴説明情報を保持する、受信することと、
転送情報を記録することであって、前記転送情報は、
少なくとも２つノードを含む少なくとも１つの転送経路に関連付けられた情報であって、前記少なくとも２つのノードの各ノードは１人のユーザに相当し、隣接ノード上のユーザが予めセットされた関係にあり、前記少なくとも２つのノードは、前記開始ユーザに相当する開始ノードを含む、関連付けられた情報と、
前記少なくとも２つのノードに相当する処理モード情報であって、前記処理モード情報は、前記少なくとも２つのノードのうちの１つのノードが転送ノード又は対象ノードであるかどうかを示し、前記対象ノードは、前記転送経路の、前記要求に対して応答する１つのノードに基づいて決定される、処理モード情報と、
を含む、記録することと、
１つの転送経路上のユーザの処理モードが前記要求に対して応答した後、前記ユーザを前記転送経路の前記対象ノードとして決定することと、
前記開始ノードの前記ユーザおよび前記対象ノードの前記ユーザの情報を互いに提供することと
を含む、非一時的コンピュータ可読媒体。
【請求項３２】
前記命令のセットは、前記装置にさらに、
前記対象ノードが位置する前記転送経路上の中間ノードのユーザ情報を前記開始ノードの前記ユーザおよび前記対象ノードの前記ユーザに提供することを行わせるように、前記装置の前記少なくとも一つのプロセッサによって実行可能である、請求項３１に記載の非一時的コンピュータ可読媒体。
【請求項３３】
前記命令のセットは、前記装置にさらに、
前記対象ノードが位置する前記転送経路上の中間ノードのユーザ情報を前記転送経路の前記ノード上のユーザに提供することを行わせるように、前記装置の前記少なくとも一つのプロセッサによって実行可能である、請求項３１に記載の非一時的コンピュータ可読媒体。